(57)【要約】【課題】電源コードを電源コード巻き取り部から引き出す際に長さ調節が可能な警報器を提供すること。【解決手段】監視領域の壁に設置され、監視領域の異常を検知して警報を報知する警報器であって、警報器本体を構成する裏ケース１３のほぼ矩形状の背面の四隅に設けられたコーナーフック２１〜２４と、裏ケース１３の背面側に設けられ、警報器１１を壁に設置するための２個の係止部１８ａ，１８ｂが互いに９０度の角度を成すように形成された裏面板１８と、裏ケース１３の背面の係止部１８ａ，１８ｂと対向する辺の中間付近に設けられた中間部フック２５，２６と、裏ケース１３の背面側と裏面板１８の間に形成されたコード巻き取り部１９と、コード巻き取り部１９に巻き付けられ、コーナーフック２１〜２４または中間部フック２５，２６のいずれかに係止されて引き出される電源コード３０とを備えている。【選択図】図１
2010033330.tif 000002
【特許請求の範囲】
【請求項１】
監視領域の壁に設置され、前記監視領域の異常を検知して警報を報知する警報器であって、
警報器本体を構成する裏ケースのほぼ矩形状の背面の四隅に設けられたコーナーフックと、
前記裏ケースの背面側に設けられ、前記警報器を前記壁に設置するための２個の係止部が互いに９０度の角度を成すように形成された裏面板と、
前記裏ケースの背面の前記係止部と対向する辺の中間付近に設けられた中間部フックと、
前記裏ケースの背面側と前記裏面板の間に形成されたコード巻き取り部と、
前記コード巻き取り部に巻き付けられ、前記コーナーフックまたは前記中間部フックのいずれかに係止されて引き出される電源コードと
を備えていることを特徴とする警報器。
【請求項２】
請求項１記載の警報器において、
前記裏面板の外形は、前記コーナーフックとの間に、前記電源コードの折り返しが可能な隙間を生じるように形成されており、前記電源コードの係止に使用されていない前記コーナーフックまたは前記中間部フックは、前記電源コードの折り返し時に電源コード収納ガイドとして機能する
ことを特徴とする警報器。
【請求項３】
請求項２記載の警報器において、
前記電源コードはＶＦＦタイプのコードであり、
前記コーナーフックは、前記ＶＦＦタイプの電源コードを横向きに係止する係止溝を有し、
前記中間部フックは、前記ＶＦＦタイプの電源コードを縦向きに係止する係止溝を有することを特徴とする警報器。
【発明の詳細な説明】
【技術分野】
【０００１】
本発明は、火災警報器等の警報器に関し、特にＡＣ電源方式警報器における電源コードの収納引き回しの改良に関するものである。
【背景技術】
【０００２】
住宅の台所等に設置される火災警報器等のＡＣ電源方式警報器では、その裏面に、コンセントまで引き回される電源コードのコード巻き取り部と、巻き取り部から出る電源コードを固定する固定フックとを備えている。
【０００３】
図７は、従来のＡＣ電源方式警報器の外観を示す背面図である。図７において、警報器１は、ほぼ矩形状の警報器本体３の裏面に設けられた裏面板４と警報器本体３の裏面との間に形成され、余分の電源コード７を巻き回すコード巻き取り部５と、このコード巻き取り部５から出る電源コード７を固定する固定フック９ａ、９ｂ、９ｃ、９ｄとを具備している。固定フック９ａ、９ｂ、９ｃ、９ｄは、裏面板４の切り欠かれた切り欠き口１０ａ、１０ｂ、１０ｃ、１０ｄの外側に突き出すように、警報器本体３の裏面の上、下、左、右の複数箇所に設けられている。電源コード７は、図示しないコンセントの場所までの引き回しが短くかつ目立たない場所となるように選択された場所の任意の切り欠き口１０から取り出され、その場所の固定フック９に掛けることにより、警報器本体３の上、下、左、右から引き回される。
【特許文献１】特開平８−１９０６８３号公報
【発明の開示】
【発明が解決しようとする課題】
【０００４】
しかしながら、上記従来の警報器では、矩形状の警報器本体３の上、下、左、右の各辺の中央付近の一箇所に切り欠き口１０及び固定フック９が設けられているが、図示しないコンセントの場所までの引き回しが短くかつ目立たない場所となるように選択された切り欠き口１０および固定フック９から引き回される電源コード７の長さを調節することができないため、引き回す際にたるんだ状態で引き回さなければならず、室内の美観を損なう場合がある。
【０００５】
そこで本発明は、上述した課題に鑑み、電源コードを電源コード巻き取り部から引き出す際に長さ調節が可能な警報器を提供することを目的としている。
【課題を解決するための手段】
【０００６】
上記課題を解決するためになされた請求項１記載の発明は、監視領域の壁に設置され、前記監視領域の異常を検知して警報を報知する警報器であって、警報器本体を構成する裏ケース１３のほぼ矩形状の背面の四隅に設けられたコーナーフック２１〜２４と、前記裏ケース１３の背面側に設けられ、前記警報器１１を前記壁に設置するための２個の係止部１８ａ，１８ｂが互いに９０度の角度を成すように形成された裏面板１８と、前記裏ケース１３の背面の前記係止部１８ａ，１８ｂと対向する辺の中間付近に設けられた中間部フック２５，２６と、前記裏ケース１３の背面側と前記裏面板１８の間に形成されたコード巻き取り部１９と、前記コード巻き取り部１９に巻き付けられ、前記コーナーフック２１〜２４または前記中間部フック２５，２６のいずれかに係止されて引き出される電源コード３０とを備えていることを特徴とする。
【０００７】
上記課題を解決するためになされた請求項２記載の発明は、請求項１記載の警報器において、前記裏面板１８の外形は、前記コーナーフック２１〜２４との間に、前記電源コード３０の折り返しが可能な隙間を生じるように形成されており、前記電源コード３０の係止に使用されていない前記コーナーフック２１〜２４または前記中間部フック２５，２６は、前記電源コード３０の折り返し時に電源コード収納ガイドとして機能することを特徴とする。
【０００８】
上記課題を解決するためになされた請求項３記載の発明は、請求項２記載の警報器において、前記電源コード３０はＶＦＦタイプのコードであり、前記コーナーフック２１〜２４は、前記ＶＦＦタイプの電源コード３０を横向きに係止する係止溝を有し、前記中間部フック２５，２６は、前記ＶＦＦタイプの電源コード３０を縦向きに係止する係止溝を有することを特徴とする。
【０００９】
なお、上述の課題を解決するための手段の説明における符号は、以下の発明の実施の形態の説明における構成要素の参照符号に対応しているが、これらは、特許請求の範囲の解釈を限定するものではない。
【発明の効果】
【００１０】
本発明によれば、警報器本体を構成する裏ケースのほぼ矩形状の四隅と中間部に、各辺あたり２個以上の電源コード固定用のフックが設けられているので、コンセントに接続する電源コードの引き出し位置を調節することができる。また、コード巻き取り部を形成する裏面板の外形とコーナーフックの間に電源コード折り返し可能な隙間（空間）があるので、電源コードを任意に折り返して引き出すことができ、コンセントまでの電源コードの長さを適宜に調節することができる。
【発明を実施するための最良の形態】
【００１１】
以下、本発明の警報器の実施の形態について図面を参照して説明する。なお、この実施の形態では、本発明の警報器として、ＡＣ電源方式火災警報器に適用した場合について説明する。
【００１２】
図１は、本発明の実施の形態に係る警報器の外観を示す図であり、（Ａ）は背面図、（Ｂ）は底面図を示し、図２は、背面斜視図である。警報器１１は、ほぼ矩形状に形成されており、監視領域の壁に設置され、監視領域の異常を検知して警報を報知する。なお、監視領域とは、警報器の火災監視が可能な設置場所である部屋、範囲等を示している。
【００１３】
火災警報器１１は、中空箱状の警報器本体を構成する樹脂製の表ケース１２及び裏ケース１３と、センサケース１４と、このセンサケース１４を覆うパネル１５とを有している。センサケース１４は、周囲に通気可能な隙間を多数有するメッシュ部材を備えており、その内部に図示しない火災センサが配設されている。警報器本体の底部には、図示しない点検スイッチをオン／オフするための引き紐１６が配設され、その先端には、樹脂で形成された摘み部１７が取り付けられている。
【００１４】
裏ケース１３の裏面はほぼ矩形状になっていて、裏面板１８が設けられており、裏ケース１３の裏面との間に、平形ビニルコード（ＶＦＦ）タイプの電源コード３０を巻き取るためのボビン状のコード巻き取り部１９が形成されている。裏面板１８には、壁のネジ等に係合するための係止穴を有する係止部１８ａ、１８ｂが形成されている。係止部１８ａ、１８ｂは、警報器１１を縦型または横型のどちらでも壁に掛けることができるように、裏ケースの背面の辺の中央付近に、それぞれ互いに９０度の角度を成すように形成されており、図１の例では、裏面板１８の上側と左側に設けられている。
【００１５】
裏ケース１３の矩形状背面の四隅付近には、電源コード係止用のコーナーフック２１，２２，２３，２４が一体形成されており、さらに、裏面板１８の係止部１８ａおよび１８ｂと対向する裏ケース１３の背面の辺の中央付近に、電源コード係止用の中間部フック２５，２６が、それぞれ一体形成されている。コーナーフック２１，２２，２３，２４には、それぞれ、電源コード３０を横向きに係止する係止溝２１ａ，２２ａ，２３ａ，２４ａが形成されており、中間部フック２５，２６には、それぞれ、電源コード３０を縦向きに係止する係止溝２５ａ，２６ａが形成されている。
【００１６】
裏面板１８の外形は、四隅のコーナーフック２１，２２，２３，２４との間に、後述する電源コード３０の折り返しが可能な隙間（空間）が生じる形状とされている。
【００１７】
次に、上記の構成を有する警報器における電源コード３０の引き出し例について説明する。
【００１８】
（引き出し例１）図１（Ａ）に、電源コード３０を左下のコーナーフック２３から引き出す場合を示す。この例では、係止部１８ａを使用して壁に警報器１１を掛ける際に、コンセントが警報器１１の右下または右横方向に存在する場合に適する引き出し方である。この場合は、コンセントまでの距離に応じて電源コード３０をコード巻き取り部１９からほどき、電源コード３０のケーブル３０ａ及び３０ｂを、図１（Ｂ）に示すようにコーナーフック２３の係止溝２３ａに横向きに係止させて引き出す。
【００１９】
（引き出し例２）図３に、電源コード３０を、係止部１８ａに対向する辺の中間に設けた中間部フック２５から引き出す場合を示す。この例では、係止部１８ａを使用して壁に警報器１１を掛ける際に、コンセントが警報器１１の真下に存在する場合に適する引き出し方である。この場合は、コンセントまでの距離に応じて電源コード３０をコード巻き取り部１９からほどき、電源コード３０のケーブル３０ａ及び３０ｂを、中間部フック２５の係止溝２５ａに縦向きに係止させて引き出す。
【００２０】
（引き出し例３）図４に、電源コード３０を、係止部１８ｂに対向する辺の中間に設けた中間部フック２６から引き出す場合を示す。この例では、係止部１８ｂを使用して壁に警報器１１を掛ける際に、コンセントが警報器１１の真下に存在する場合に適する引き出し方である。この場合は、コンセントまでの距離に応じて電源コード３０をコード巻き取り部１９からほどき、電源コード３０のケーブル３０ａ及び３０ｂを、中間部フック２６の係止溝２６ａに縦向きに係止させて引き出す。
【００２１】
（引き出し例４）図５に、電源コード３０を左上のコーナーフック２１から引き出す場合を示す。この例では、係止部１８ａを使用して壁に警報器１１を掛ける際に、コンセントが警報器１１の右上または右横方向に存在する場合に適する引き出し方である。この場合は、コンセントまでの距離に応じて電源コード３０をコード巻き取り部１９からほどき、電源コード３０を、コーナーフック２１の係止溝２１ａに横向きに係止させて引き出す。なお、この場合、電源コード３０を折り返し部３０ｃができるように折り返し、この折り返し部３０ｃをコーナーフック２３に接触させることにより、折り返した電源コードを警報器１１の正面から露出させることなく、コンセントまでの長さを調節することができる。なお、コーナーフック２３は引き出しには用いないが、電源コード収納用ガイドの役目をする。
【００２２】
（引き出し例５）図６に、電源コード３０を右下のコーナーフック２４から引き出す場合を示す。この例では、係止部１８ａを使用して壁に警報器１１を掛ける際に、コンセントが警報器１１の左下方向に存在する場合に適する引き出し方である。この場合は、コンセントまでの距離に応じて電源コード３０をコード巻き取り部１９からほどき、電源コード３０を、コーナーフック２４の係止溝２４ａに横向きに係止させて引き出す。なお、この場合、電源コード３０を折り返し部３０ｃができるように折り返し、この折り返し部３０ｃを中間部フック２６に接触させることにより、折り返した電源コードを警報器１１の正面から露出させることなく、コンセントまでの長さを調節することができる。なお、中間部フック２６は引き出しには用いないが、電源コード収納用ガイドの役目をする。
【００２３】
引き出し例４および５に示す電源コード３０の折り返しは、コーナーフック２１〜２４と裏面板１８の外形との間に隙間（空間）があるため可能となっている。また、折り返し部３０ｃの位置を変えることで、電源コード３０の引き出し量を調節することができる。電源コード３０の引き出しの係止部として使用されていないコーナーフックまたは中間部フックはいずれも、電源コード３０の折り返しの際の電源コード収納ガイドとして使用することができる。
【００２４】
以上の通り、本発明の実施形態について説明したが、本発明はこれに限らず、種々の変形、応用が可能である。
【００２５】
たとえば、上述の実施形態では、警報器として火災警報器の場合について説明したが、本発明は、これに限らず、ガス漏れ警報器やガス漏れ・火災一体型警報器等の他のタイプの警報器においても適用可能である。
【図面の簡単な説明】
【００２６】
【図１】本発明の実施の形態に係る警報器の外観を示す図であり、（Ａ）は背面図、（Ｂ）は底面図である。
【図２】本発明の実施の形態に係る警報器の外観を示す背面斜視図である。
【図３】警報器からの電源コードの引き出し方の例を示す背面図である。
【図４】警報器からの電源コードの引き出し方の例を示す背面図である。
【図５】警報器からの電源コードの引き出し方の例を示す背面図である。
【図６】警報器からの電源コードの引き出し方の例を示す背面図である。
【図７】従来のＡＣ電源方式警報器を示す図であり、（Ａ）は背面図、（Ｂ）は固定フックの詳細を示す側面図である。
【符号の説明】
【００２７】
１１    警報器
１３    裏ケース
１８    裏面板
１８ａ  係止部
１８ｂ  係止部
１９    コード巻き取り部
２１    コーナーフック
２２    コーナーフック
２３    コーナーフック
２４    コーナーフック
２５    中間部フック
２６    中間部フック
３０    電源コード
【図１】
2010033330.tif 000003
【図２】
2010033330.tif 000004
【図３】
2010033330.tif 000005
【図４】
2010033330.tif 000006
【図５】
2010033330.tif 000007
【図６】
2010033330.tif 000008
【図７】
2010033330.tif 000009